(57)【特許請求の範囲】
【請求項１】
所定の位置に設けられた一対の受電端子と、
前記一対の受電端子間に電圧が印加されているとき、画像データに基づく画像光が照射されることにより画像が書き込まれる表示部と、
前記一対の受電端子間に印加された前記電圧により発光する発光部とを備えたことを特徴とする表示記録媒体。
【請求項２】
表示記録媒体の所定の位置に設けられた一対の受電端子に接離可能に接触する一対の給電端子と、
前記一対の給電端子間に電圧を印加する電圧印加部と、
前記電圧印加部により前記一対の給電端子間に印加された前記電圧により前記表示記録媒体に設けられた発光部が発光する光を検出する受光部と、
前記受光部による検出値に基づいて異常の有無を判定する判定部とを備えたことを特徴とする異常検出装置。
【請求項３】
前記判定部は、前記受光部による検出値と基準値とを比較して前記異常の有無を判定することを特徴とする請求項２に記載の異常検出装置。
【請求項４】
前記受光部は、前記発光部が発光した光の光量を検出し、
前記判定部は、前記受光部による検出値を検出した前記光量に応じて少なくとも３段階に分けて判定することを特徴とする請求項２に記載の異常検出装置。
【請求項５】
表示記録媒体の所定の位置に設けられた一対の受電端子に接離可能に接触する一対の給電端子と、
前記一対の給電端子間に電圧を印加する電圧印加部と、
前記表示記録媒体に画像データに基づく画像光を照射する光照射部と、
前記電圧印加部により前記一対の給電端子間に印加された前記電圧により前記表示記録媒体に設けられた発光部が発光する光を検出する受光部と、
前記受光部による検出値に基づいて異常の有無を判定する判定部とを備えたことを特徴とする書込み装置。
【請求項６】
前記判定部は、前記表示記録媒体の向きを判定することを特徴とする請求項５に記載の書込み装置。
【請求項７】
前記判定部は、判定結果に対応した案内表示を行うことを特徴とする請求項５に記載の書込み装置。
【請求項８】
所定の位置に一対の受電端子を有する表示記録媒体を書込み位置に搬送する搬送部と、
前記搬送部によって前記所定の書込み位置に搬送された前記表示記録媒体の前記一対の受電端子に接触する一対の給電端子と、
前記一対の給電端子間に電圧を印加する電圧印加部と、
前記表示記録媒体に画像データに基づく画像光を照射する光照射部と、
前記電圧印加部により前記一対の給電端子間に印加された前記電圧により前記表示記録媒体に設けられた発光部が発光する光を検出する受光部と、
前記受光部による検出値に基づいて異常の有無を判定する判定部とを備えたことを特徴とする書込み装置。
【請求項９】
所定の位置に一対の受電端子を有する表示記録媒体を異常検出位置、及び前記異常検出位置の後段に設けられた書込み位置に搬送する搬送部と、
前記搬送部によって前記異常検出位置に搬送された前記表示記録媒体の前記一対の受電端子に接触する一対の第１の給電端子と、
前記搬送部によって前記書込み位置に搬送された前記表示記録媒体の前記一対の受電端子に接触する一対の第２の給電端子と、
前記一対の第１の給電端子間、及び前記一対の第２の給電端子間に電圧を印加する電圧印加部と、
前記書込み位置に位置する前記表示記録媒体に画像データに基づく画像光を照射する光照射部と、
前記電圧印加部により前記一対の第１の給電端子間に印加された前記電圧により前記表示記録媒体に設けられた発光部が発光する光を検出する受光部と、
前記受光部による検出値に基づいて異常の有無を判定する判定部と、
前記判定部による判定結果に基づいて、前記表示記録媒体を前記書込み位置の方向、又は前記書込み位置の方向とは逆方向に搬送させるよう前記搬送部を制御する制御部とを備えたことを特徴とする書込み装置。
【請求項１０】
所定の位置に一対の受電端子を有する表示記録媒体に、着脱可能に装着されて前記一対の受電端子に接触する一対の給電端子を有するコネクタと、
前記一対の給電端子間に電圧を印加する電圧印加部と、
前記表示記録媒体に画像データに基づく画像光を照射する光照射部と、
前記電圧印加部により前記一対の給電端子間に印加された前記電圧により前記表示記録媒体に設けられた発光部が発光する光を検出する受光部と、
前記受光部による検出値に基づいて異常の有無を判定する判定部とを備えたことを特徴とする書込み装置。
【請求項１１】
前記コネクタは、前記表示記録媒体に正しく装着したとき、前記発光部の発光を妨げない形状を有することを特徴とする請求項１０に記載の書込み装置。
【請求項１２】
所定の位置に一対の受電端子を有する表示記録媒体の挿入操作により、前記一対の受電端子に接触する一対の給電端子と、
前記一対の給電端子間に電圧を印加する電圧印加部と、
前記表示記録媒体に画像データに基づく画像光を照射する光照射部と、
前記電圧印加部により前記一対の給電端子間に印加された前記電圧により前記表示記録媒体に設けられた発光部が発光する光を検出する受光部と、
前記受光部による検出値に基づいて異常の有無を判定する判定部とを備えたことを特徴とする書込み装置。
【請求項１３】
表示記録媒体の所定の位置に設けられた一対の受電端子に一対の給電端子を接触させたとき、前記一対の給電端子間に電圧を印加して前記表示記録媒体に設けられた発光部から発光する光を検出する検出ステップと、
前記検出ステップにおける検出値に基づいて異常の有無を判定する判定ステップとを含むことを特徴とする異常検出方法。
【発明の詳細な説明】
【技術分野】
【０００１】
本発明は、表示記録媒体や書込み装置の異常を検出することが可能な表示記録媒体、異常検出装置、書込み装置及び異常検出方法に関する。
【背景技術】
【０００２】
表示記録媒体として、一対の透明電極間に、液晶からなる表示層と、光の照射によって抵抗値が変化する光導電層とを積層した光書込み型電子ペーパが知られている。
【０００３】
この光書き込み型電子ペーパは、一対の透明電極から導出された一対の受電端子間に電圧を印加するとともに、光導電層に画像信号に応じた画像光を照射することにより、表示層に画像が書き込まれる。従って、光書き込み型電子ペーパは、受電端子及び画像光を照射する書込み面を位置合せする必要がある。
【０００４】
受電端子及び書込み面の位置合せを容易にした従来の書込みシステムとして、例えば、特許文献１に記載されたものが知られている。
【０００５】
この書込みシステムの表示記録媒体は、その表面の一つの長辺近傍と裏面の一つの短辺近傍に光反射率の低い色（例えば黒色）からなる挿入方向識別帯を形成し、その他の領域を光反射率の高い色（例えば白色）で着色したものである。書込み装置に挿入された表示記録媒体の挿入方向識別帯を光センサで検出することにより、装置内に挿入された表示記録媒体の上下（表裏）、左右（前後）の向き（挿入方向）を検出している。
【特許文献１】特開２００５−２３１３４２号公報
【発明の開示】
【発明が解決しようとする課題】
【０００６】
本発明の目的は、異常を検出したとき、異常の原因が表示記録媒体と書込み装置のどちら側にあるか、異常の原因は何か等の異常の原因究明が可能な表示記録媒体、異常検出装置、書込み装置及び異常検出方法を提供することにある。
【課題を解決するための手段】
【０００７】
本発明の一態様は、上記目的を達成するため、以下の表示記録媒体、異常検出装置、書込み装置及び異常検出方法を提供する。
【０００８】
［１］所定の位置に設けられた一対の受電端子と、前記一対の受電端子間に電圧が印加されているとき、画像データに基づく画像光が照射されることにより画像が書き込まれる表示部と、前記一対の受電端子間に印加された前記電圧により発光する発光部とを備えたことを特徴とする表示記録媒体。
【０００９】
［２］表示記録媒体の所定の位置に設けられた一対の受電端子に接離可能に接触する一対の給電端子と、前記一対の給電端子間に電圧を印加する電圧印加部と、前記電圧印加部により前記一対の給電端子間に印加された前記電圧により前記表示記録媒体に設けられた発光部が発光する光を検出する受光部と、前記受光部による検出値に基づいて異常の有無を判定する判定部とを備えたことを特徴とする異常検出装置。
【００１０】
［３］前記判定部は、前記受光部による検出値と基準値とを比較して前記異常の有無を判定することを特徴とする前記［２］に記載の異常検出装置。
【００１１】
［４］前記受光部は、前記発光部が発光した光の光量を検出し、前記判定部は、前記受光部による検出値を検出した前記光量に応じて少なくとも３段階に分けて判定することを特徴とする前記［２］に記載の異常検出装置。
【００１２】
［５］表示記録媒体の所定の位置に設けられた一対の受電端子に接離可能に接触する一対の給電端子と、前記一対の給電端子間に電圧を印加する電圧印加部と、前記表示記録媒体に画像データに基づく画像光を照射する光照射部と、前記電圧印加部により前記一対の給電端子間に印加された前記電圧により前記表示記録媒体に設けられた発光部が発光する光を検出する受光部と、前記受光部による検出値に基づいて異常の有無を判定する判定部とを備えたことを特徴とする書込み装置。
【００１３】
［６］前記判定部は、前記表示記録媒体の向きを判定することを特徴とする前記［５］に記載の書込み装置。
【００１４】
［７］前記判定部は、判定結果に対応した案内表示を行うことを特徴とする前記［５］に記載の書込み装置。
【００１５】
［８］所定の位置に一対の受電端子を有する表示記録媒体を書込み位置に搬送する搬送部と、前記搬送部によって前記書込み位置に搬送された前記表示記録媒体の前記一対の受電端子に接触する一対の給電端子と、前記一対の給電端子間に電圧を印加する電圧印加部と、前記表示記録媒体に画像データに基づく画像光を照射する光照射部と、前記電圧印加部により前記一対の給電端子間に印加された前記電圧により前記表示記録媒体に設けられた発光部が発光する光を検出する受光部と、前記受光部による検出値に基づいて異常の有無を判定する判定部とを備えたことを特徴とする書込み装置。
【００１６】
［９］所定の位置に一対の受電端子を有する表示記録媒体を異常検出位置、及び前記異常検出位置の後段に設けられた書込み位置に搬送する搬送部と、前記搬送部によって前記異常検出位置に搬送された前記表示記録媒体の前記一対の受電端子に接触する一対の第１の給電端子と、前記搬送部によって前記書込み位置に搬送された前記表示記録媒体の前記一対の受電端子に接触する一対の第２の給電端子と、前記一対の第１の給電端子間、及び前記一対の第２の給電端子間に電圧を印加する電圧印加部と、前記書込み位置に位置する前記表示記録媒体に画像データに基づく画像光を照射する光照射部と、前記電圧印加部により前記一対の第１の給電端子間に印加された前記電圧により前記表示記録媒体に設けられた発光部が発光する光を検出する受光部と、前記受光部による検出値に基づいて異常の有無を判定する判定部と、前記判定部による判定結果に基づいて、前記表示記録媒体を前記書込み位置の方向、又は前記書込み位置の方向とは逆方向に搬送させるよう前記搬送部を制御する制御部とを備えたことを特徴とする書込み装置。
【００１７】
［１０］所定の位置に一対の受電端子を有する表示記録媒体に、着脱可能に装着されて前記一対の受電端子に接触する一対の給電端子を有するコネクタと、前記一対の給電端子間に電圧を印加する電圧印加部と、前記表示記録媒体に画像データに基づく画像光を照射する光照射部と、前記電圧印加部により前記一対の給電端子間に印加された前記電圧により前記表示記録媒体に設けられた発光部が発光する光を検出する受光部と、前記受光部による検出値に基づいて異常の有無を判定する判定部とを備えたことを特徴とする書込み装置。
【００１８】
［１１］前記コネクタは、前記表示記録媒体に正しく装着したとき、前記発光部の発光を妨げない形状を有することを特徴とする前記［１０］に記載の書込み装置。
【００１９】
［１２］所定の位置に一対の受電端子を有する表示記録媒体の挿入操作により、前記一対の受電端子に接触する一対の給電端子と、前記一対の給電端子間に電圧を印加する電圧印加部と、前記表示記録媒体に画像データに基づく画像光を照射する光照射部と、前記電圧印加部により前記一対の給電端子間に印加された前記電圧により前記表示記録媒体に設けられた発光部が発光する光を検出する受光部と、前記受光部による検出値に基づいて異常の有無を判定する判定部とを備えたことを特徴とする書込み装置。
【００２０】
［１３］表示記録媒体の所定の位置に設けられた一対の受電端子に一対の給電端子を接触させたとき、前記一対の給電端子間に電圧を印加して前記表示記録媒体に設けられた発光部から発光する光を検出する検出ステップと、前記検出ステップにおける検出値に基づいて異常の有無を判定する判定ステップとを含むことを特徴とする異常検出方法。
【発明の効果】
【００２１】
請求項１の表示記録媒体によれば、異常が検出されたとき、異常の原因が表示記録媒体と書込み装置のどちら側にあるか、異常の原因は何か等の異常の原因究明が可能となる。
請求項２の異常検出装置によれば、異常を検出したとき、異常の原因が表示記録媒体と書込み装置のどちら側にあるか、異常の原因は何か等の異常の原因究明が可能となる。
請求項３、４の異常検出装置によれば、請求項２と比較して、異常の原因究明がより可能になる。
請求項５の書込み装置によれば、異常を検出したとき、異常の原因が表示記録媒体と書込み装置のどちら側にあるか、異常の原因は何か等の異常の原因究明が可能となる。
請求項６の書込み装置によれば、請求項５と比較して書込み不良の防止が容易になる。
請求項７の書込み装置によれば、請求項５の効果に加えて、利用者の利便性が向上する。
請求項８の書込み装置によれば、表示記録媒体を装置内に搬送する構成において、請求項５と同様に、異常の原因究明が可能となる。
請求項９の書込み装置によれば、表示記録媒体を装置内に搬送する構成において、請求項５に加えて、表示記録媒体を書込み位置に搬送する前に異常の有無を検出することができる。
請求項１０の書込み装置によれば、表示記録媒体にコネクタを装着する構成において、請求項５と同様に、異常の原因究明が可能となる。
請求項１１の書込み装置によれば、請求項９の効果に加えて、発光部の発光を利用者が目視で確認することができる。
請求項１２の書込み装置によれば、表示記録媒体を挿入操作により書込み装置に挿入する構成において、請求項５と同様に、異常の原因究明が可能となる。
請求項１３の異常検出方法によれば、異常を検出したとき、異常の原因が表示記録媒体と書込み装置のどちら側にあるか、異常の原因は何か等の異常の原因究明が可能となる。
【発明を実施するための最良の形態】
【００２２】
本発明の実施の形態に係る書込みシステムは、所定の位置に一対の受電端子が設けられ、電圧の印加によって発光する発光部を有する表示記録媒体と、異常検出装置及び異常検出方法が適用され、表示記録媒体に画像を書き込む書込み装置とから構成されている。
【００２３】
一対の受電端子は、長方形を有する表示記録媒体の表面または裏面に設けられ、表示記録媒体の中心からずれた位置に配置されている。これにより、受電端子の位置から表示記録媒体の上下（表裏）、左右（前後）の向き（挿入方向、装着方向）を特定することが可能になる。なお、表示記録媒体は、正方形等の他の形状でもよい。
【００２４】
書込み装置は、表示記録媒体の一対の受電端子に接離可能に接触する一対の給電端子と、一対の給電端子間に電圧を印加する電圧印加部と、表示記録媒体に画像データに基づく画像光を照射する光照射部と、電圧印加部により一対の給電端子間に印加された電圧により表示記録媒体の発光部が発光した光を検出する受光部と、受光部による検出値に基づいて異常の有無を判定する判定部とを備える。判定部は、受光部による検出値と基準値とを比較して判定する。
【００２５】
一対の受電端子に一対の給電端子が接離可能に接触する形態としては、利用者が書込み装置内に表示記録媒体を挿入し、表示記録媒体を書込み位置まで搬送部により搬送することにより受電端子と給電端子とが接触する形態、受電端子に給電端子を有するコネクタを装着することにより受電端子と給電端子とが接触する形態、及び利用者が書込み装置に表示記録媒体を挿入することにより、受電端子と給電端子とが接触する形態等があるが、これらの形態に限定されない。
【００２６】
発光部は、給電端子が受電端子に接触している場合は、受電端子間に印加された電圧により発光するが、その他の場合、例えば、表示記録媒体の書込み装置あるいはコネクタへの挿入方向エラー等により給電端子が表示記録媒体の他の部分に接触した場合、表示記録媒体内部で断線した場合、書込み装置内部で断線した場合などには、発光しない。また、給電端子と受電端子との接触面が汚れ等により接触不良が生じた場合などは、発光部の光量が低下する。従って、給電端子間に電圧を印加し、発光部からの発光量を検出することにより、異常の原因が表示記録媒体と書込み装置のどちら側にあるか、異常の原因は何か等の異常の原因究明が可能になる。
【００２７】
［第１の実施の形態］
図１は、本発明の第１の実施の形態に係る書込みシステムを正面から見た断面図、図２は、平面図である。
【００２８】
（書込みシステム）
この書込みシステム１Ａは、画像の書換え可能な表示記録媒体２と、異常検出装置及び異常検出方法が適用され、表示記録媒体２に画像を書き込む書込み装置１００Ａとから構成されている。
【００２９】
（表示記録媒体）
表示記録媒体２は、薄型の略矩形状を有するフレキシブルな記録媒体であり、電圧の印加と画像光の照射によって画像が書き込まれる光書込み型電子ペーパである。表示記録媒体２は、所定の位置に電圧が印加される一対の受電端子２０６Ａ，２０６Ｂと、一対の受電端子２０６Ａ，２０６Ｂに印加された電圧により発光する発光部２１０と、画像光が照射される書込み領域２ｃとを有する。
【００３０】
発光部２１０は、発光ダイオード、無機ＥＬ、有機ＥＬ、半導体レーザ等を用いることができる。発光部２１０の発光波長は、書込み装置１００Ａの後述する光照射部１０の帯域とは異なるのが好ましい。例えば、光照射部１０は表示記録媒体２の感度領域に対応した赤色領域を用い、発光部２１０は青色領域や緑色領域を用いてもよい。
【００３１】
（書込み装置）
書込み装置１００Ａは、下部筐体３と上部筐体４との間に空間５を有し、その空間５の挿入口５ａに挿入された表示記録媒体２や書込み装置１００Ａに異常が無いことを確認した後、表示記録媒体２に画像を書き込むように構成されている。
【００３２】
下部筐体３は、表示記録媒体２の挿入口５ａへの挿入を検出する挿入センサ６と、挿入口５ａに挿入された表示記録媒体２を空間５内の書込み位置まで搬送する複数の搬送ローラ７Ａ、７Ｂと、書込み位置で表示記録媒体２の先端が当接するストッパ８と、書込み位置で表示記録媒体２の一対の受電端子２０６Ａ，２０６Ｂに接触する一対の給電端子９Ａ，９Ｂと、表示記録媒体２の書込み領域２ｃに画像光を照射して画像を書き込む光照射部１０と、表示記録媒体２の発光部２１０からの光を受光する受光部３０と、図２に示すように、表示記録媒体２の挿入方向エラー等のメッセージをＬＣＤ(Liquid Crystal Display)により表示するメッセージ表示部１１とを備える。
【００３３】
上部筐体４は、下部筐体３に設けられた複数の搬送ローラ７Ａ、７Ｂに対向して配置された複数の搬送ローラ７Ｃ、７Ｄが配設されている。搬送ローラ７Ａ〜７Ｄは、筐体３、４から空間５に僅かに突出するように配置され、表示記録媒体２を挟持して搬送するように構成されている。
【００３４】
また、上部筐体４は、表示記録媒体２のジャム等の異常時あるいはメンテナンス時のために、図示しないヒンジにより下部筐体３に対して開閉可能に構成されている。
【００３５】
挿入センサ６は、表示記録媒体２に光を照射する発光素子、及び表示記録媒体２で反射した光を受光する受光素子から構成されている。なお、挿入センサ６は、発光素子と受光素子を表示記録媒体２の搬送路を介して対向して配置した構成としてもよく、マイクロスイッチや磁気センサ等の他のセンサを用いてもよい。
【００３６】
給電端子９Ａ，９Ｂは、リン青銅、ベリリウム銅等の銅合金やステンレス鋼等の導電性を有するばね材料を用いて形成され、「ヘ」の字形に曲げ加工が施され、膨出点が表示記録媒体２の受電端子２０６Ａ，２０６Ｂに弾性的に接触するように構成されている。
【００３７】
光照射部１０は、表示記録媒体２の書込み領域２ｃと同等の大きさを有し、画像光を書込み領域２ｃに照射するＬＣＤ(Liquid Crystal Display)パネル１１０と、ＬＣＤパネル１１０の背面からバックライト光を照射するバックライト１１１とを備える。
【００３８】
受光部３０は、受光した光量に応じた電流を出力する受光素子を備える。受光素子としては、例えば、フォトダイオード、フォトトランジスタ等を用いることができる。
【００３９】
（表示記録媒体）
図３（ａ），（ｂ）は、それぞれタイプの異なる表示記録媒体の層構成を模式的に表わした図１のＡ−Ａ線断面図である。なお、発光部２１０に関する回路構成は、図示を省略している。
【００４０】
図３（ａ）に示す表示記録媒体２は、対向配置されたＰＥＴ（ポリエチレンテレフタレート）フィルムからなる透明の第１および第２の基板２００Ａ，２００Ｂと、第１および第２の基板２００Ａ，２００Ｂの内側に形成されたＩＴＯ（インジウム錫酸化物）からなる透明の第１および第２の電極２０１Ａ，２０１Ｂと、コレステリック液晶が封入されたマイクロカプセル２０２ａを有して構成され、第２の電極２０１Ｂの内側に設けられるとともに、印加される電圧に応じて反射率（透過率）が変化する液晶層２０２と、第１の電極２０１Ａの内側に配置され、光の照射によって抵抗値が小さくなる光導電層２０３と、液晶層２０２と光導電層２０３との間に配置された光吸収層２０４と、第１の電極２０１Ａに接続された受電端子２０６Ａと、第２の電極２０１Ｂに延在部２０７を介して接続された受電端子２０６Ｂとを備える。
【００４１】
光導電層２０３は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、表示記録媒体２の高寿命化を実現することができる。
【００４２】
図３（ｂ）に示す表示記録媒体２は、図３（ａ）に示した表示記録媒体２において、光吸収層２０４を第２の電極２０１Ｂの内側に配設し、液晶層２０２と光導電層２０３の間に隔離層２０５を追加したものであり、その他の構成は図３（ａ）と同様である。
【００４３】
図４は、書込み装置１００Ａの制御系、及び表示記録媒体２の回路構成を示す。
【００４４】
表示記録媒体２は、液晶層２０２及び光導電層２０３が一対の受電端子２０６Ａ，２０６Ｂを介して電圧印加部２１に接続され、一対の受電端子２０６Ａ，２０６Ｂに分圧部２１１、整流部２１２及び発光部２１０が並列に接続されている。
【００４５】
分圧部２１１は、電圧印加部２１から一対の受電端子２０６Ａ，２０６Ｂに印加される交流のパルス電圧を発光部２１０の駆動電圧に分圧する。
【００４６】
整流部２１２は、分圧部２１１で分圧された交流のパルス電圧を整流して発光部２１０に出力して発光部２１０を点滅させる。
【００４７】
書込み装置１００Ａは、装置１００Ａ全体を制御する制御部２０を有し、この制御部２０に、書込み位置に位置する表示記録媒体２の受電端子２０６Ａ，２０６Ｂに給電端子９Ａ，９Ｂを介して交流のパルス電圧を印加する電圧印加部２１と、受光部３０から出力された電流値に基づいて表示記録媒体２の挿入方向（向き）エラーを含む異常の有無を判定する判定部２３と、搬送ローラ７Ａ〜７Ｄを回転駆動して表示記録媒体２を搬送する搬送駆動部２４と、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ(Local Area Network)等のネットワークに接続された通信インタフェース（Ｉ／Ｆ）２８とを各々接続している。また、制御部２０に前述した挿入センサ６及びメッセージ表示部１１を接続している。
【００４８】
搬送駆動部２４は、搬送ローラ７Ａ，７Ｂを回転駆動する図示しないモータを備える。搬送ローラ７Ａ〜７Ｄは、モータからの駆動力を搬送ベルト等を介して伝達されるようにしてもよい。
【００４９】
判定部２３は、受光部３０からの連続して出力される検出信号を計数するとともに、受光部３０による検出値が第１の基準値より大きいとき、発光部２１０による発光は正常と判定し、第２の基準値より小さいときは、発光無しと判定し、第１の基準値と第２の基準値との間であるときは、発光量低下と判定し、その判定結果と上記計数値を制御部２０に出力するように構成されている。判定部２３は、比較器、基準電源、カウンタ等を用いて構成することができる。
【００５０】
制御部２０は、ＣＰＵ、ＲＡＭ、ＲＯＭ、ＨＤＤ等を用いて構成されており、ＨＤＤ、ＲＯＭ等には、図６のフローチャートに示すような検出プログラムを含むＣＰＵの各種のプログラムが格納されている。プログラムは、ＣＤ−ＲＯＭ等の記録メディアから書込み装置１００Ａ内に取り込んでもよく、ネットワークを介して書込み装置１００Ａ内に取り込んでもよい。
【００５１】
（第１の実施の形態の動作）
次に、本実施の形態の書込みシステム１Ａの動作を図５、図６を参照して説明する。
【００５２】
図５（ａ）〜（ｄ）は、表示記録媒体の挿入方向の種類を示し、（ａ）は、表示記録媒体が正常に挿入された場合、（ｂ）〜（ｄ）は、挿入方向が誤っている場合であり、（ｂ）は、裏面２ｂを上側にして挿入した場合、（ｃ）は、後部を先頭にして挿入した場合、（ｄ）は、裏面２ｂを上側にし、後部を先頭にして挿入した場合を示す。図６は、書込みシステムの動作を示すフローチャートである。
【００５３】
ユーザが、表示記録媒体２を挿入口５ａに挿入する。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。
【００５４】
挿入センサ６が表示記録媒体２の挿入を検出すると、検出信号を制御部２０に送る。制御部２０は、検出信号を受信すると、搬送駆動部２４を制御して搬送ローラ７Ａ〜７Ｄを回転させて表示記録媒体２を搬送させる。搬送駆動部２４は、一定時間搬送ローラ７Ａ〜７Ｄを回転させる。表示記録媒体２は、その先端がストッパ８に当接して書込み位置に停止する。
【００５５】
表示記録媒体２が書込み位置に停止すると、表示記録媒体２の受電端子２０６Ａ，２０６Ｂは、給電端子９Ａ，９Ｂに接触する。
【００５６】
制御部２０は、電圧印加部２１により給電端子９Ａ，９Ｂ間に所定の数のパルス電圧を印加する（Ｓ１）。このとき、表示記録媒体２に画像データに基づく画像光を照射して画像を書き込む動作が行われる。画像書込み動作の詳細については、後述する。給電端子９Ａ，９Ｂ間に印加されたパルス電圧は、分圧部２１１で分圧され、整流部２１２で整流されて発光部２１０に印加され、発光部２１０が発光する。受光部３０は、発光部２１０からの光を受光し、光量に応じた電流を検出値として判定部２３に出力する。
【００５７】
判定部２３は、発光部２１０から出力された電流値と第１の基準値とを比較し、正常か否かを判定する（Ｓ２）。判定部２３は、電流値が第１の基準値より大きいときは、正常と判定し、電流値が第１の基準値以下のときは、異常と判定する。
【００５８】
上記スッテプＳ２において、発光は正常と判定されたとき（Ｓ２：Ｙｅｓ）、制御部２０は、発光数が規定数に到達したか否かを判断する（Ｓ３）。規定数に到達しているときは（Ｓ３：Ｙｅｓ）、正常に終了する（Ｓ４）。
【００５９】
上記ステップＳ３において、発光数が規定数に到達しなかった場合は（Ｓ３：Ｎｏ）、故障処理を行う（Ｓ５）。発光数が規定数に到達しなかった場合としては、主として電圧印加部２１のパルス電圧発生部に異常が発生した場合などが考えられる。ステップＳ５の故障処理は、例えば、メッセージ表示部１１に書込み装置１００Ａに故障が発生した旨のメッセージを表示し、表示記録媒体２を返却する処理、すなわち、制御部２０は、搬送駆動部２４を制御して搬送ローラ７Ａ〜７Ｄを逆転させ、表示記録媒体２を挿入口５ａ側に排出する。
【００６０】
上記ステップＳ２において、発光が異常の場合（Ｓ２：Ｎｏ）、次のパルス印加時に、判定部２３は、受光部３０からの検出値に基づいて、発光部２１０の発光量が正常か、中間値か、発光部２１０の発光無しかを判断する（Ｓ６）。すなわち、判定部２３は、電流値が第１の基準値と第２の基準値（第１の基準値より小さい値）との間であるときは、発光部２１０の発光量は中間値と判断し、制御部２０は故障処理を行い、電流値が第２の基準値以下であるときは、発光部２１０は発光無しと判断し、制御部２０は、返却処理を行う。
【００６１】
発光部２１０の発光量が正常と判断したときは、ステップＳ１に戻る。（なお、Ｓ２，Ｓ６の判断で、異常・正常が繰り返す場合には、無限ループに陥るので、その場合には、繰り返し数を別途計数し、ステップＳ７の故障処理などに回す。）発光部２１０の発光量が中間値と判断したときは、故障処理を行う（Ｓ７）。発光量が中間値となる場合としては、受電端子２０６Ａ，２０６Ｂ、給電端子９Ａ，９Ｂの汚れ等が考えられる。
【００６２】
ステップＳ７の故障処理は、例えば、メッセージ表示部１１に受電端子又は給電端子が汚れているかどうかの確認を促すメッセージを表示し、表示記録媒体２を返却する処理、すなわち、制御部２０は、搬送駆動部２４を制御して搬送ローラ７Ａ〜７Ｄを逆転させ、表示記録媒体２を挿入口５ａ側に排出する。
【００６３】
発光部２１０の発光無しと判断したときは、表示記録媒体２の返却処理を行う（Ｓ８）。
すなわち、制御部２０は、メッセージ表示部１１に例えば、メッセージ表示部１１に表示記録媒体２の挿入方向の確認を促すメッセージを表示し、搬送駆動部２４を制御して搬送ローラ７Ａ〜７Ｄを逆転させ、表示記録媒体２を挿入口５ａ側に排出する。
【００６４】
例えば、図５（ａ）に示すように、表示記録媒体２を正しい挿入方向で挿入した場合は、給電端子９Ａ，９Ｂが受電端子２０６Ａ，２０６Ｂに接触し、電圧印加部２１から給電端子９Ａ，９Ｂを介して受電端子２０６Ａ，２０６Ｂに印加された電圧により発光部２１０が発光し、それを受光部３０で受光することができる。
【００６５】
これに対し、表示記録媒体２の挿入方向が誤っている場合、すなわち、図５（ｂ）に示すように、表示記録媒体２を表裏を逆にして挿入した場合、図５（ｃ）に示すように、表示記録媒体２を後部を先頭にして挿入した場合は、図５（ｄ）に示すように、表示記録媒体２を表裏を逆にし、後部を先頭にして挿入した場合は、給電端子９Ａ，９Ｂが表示記録媒体２の受電端子２０６Ａ，２０６Ｂ以外の部分に接触するため、電圧印加部２１から給電端子９Ａ，９Ｂに電圧を印加しても、発光部２１０は発光せず、受光部３０は、光を受光することができない。
【００６６】
（画像書込み動作）
ここで、画像書込み動作について説明する。制御部２０は、画像データを画像データ記憶部２７から読み出し、書込み制御を行う。すなわち、電圧印加部２１は、制御部２０の制御により、前述したように、給電端子９Ａ，９Ｂを介して受電端子２０６Ａ，２０６Ｂ間に電圧を印加する。また、ＬＣＤパネル駆動部２５は、制御部２０の制御により、画像データに応じた駆動信号をＬＣＤパネル１１０に供給する。ＬＣＤパネル１１０は、ＬＣＤパネル駆動部２５からの駆動信号に基づいて画像光１１２を表示記録媒体２に照射する。
【００６７】
画像光１１２が表示記録媒体２に照射すると、図３（ａ）に示す表示記録媒体２では、画像光１１２が、第１の基板２００Ａおよび第１の電極２０１Ａを透過し、光導電層２０３に到達する。
【００６８】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。逆に、光導電層２０３の光が照射されなかった部分の抵抗値は大きく、光導電層２０３とのインピーダンス比で決まる液晶層２０２の分圧が減少し、電圧印加終了後は、液晶層２０２は透過状態になる。従って、画像の書込みが終了した後、表示記録媒体２の表面２ａに照明光が照射された場合に、液晶層２０２の光が照射された領域は、反射率が大きくなるために照明光が反射して白く見え、光が照射されなかった領域は、照明光が液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００６９】
図３（ｂ）に示す表示記録媒体２の場合は、画像光１１２は、第１の基板２００Ａ、第１の電極２０１Ａ、液晶層２０２および隔離層２０５を順次透過し、光導電層２０３に到達する。
【００７０】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。逆に、光導電層２０３の光が照射されなかった部分の抵抗値は大きく、光導電層２０３とのインピーダンス比で決まる液晶層２０２の分圧が減少し、電圧印加終了後は、液晶層２０２は透過状態になる。従って、表示記録媒体２の裏面２ｂに照明光が照射された場合、光が照射された領域は液晶層２０２で反射して白く見え、光が照射されていない領域は液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００７１】
制御部２０は、表示記録媒体２への画像の書込みが終了すると、搬送駆動部２４を制御して搬送ローラ７Ａ〜７Ｄを逆転させ、表示記録媒体２を挿入口５ａ側に排出する。
【００７２】
なお、上記実施の形態では、画像書込み動作の中で発光部２１０の発光を検出したが、画像書込み動作前に表示記録媒体２にパルス電圧を印加して発光部２１０の発光を検出してもよい。この場合、表示記録媒体２に印加するパルス電圧は、画像書込時よりも低い電圧値としてもよい。これにより、電圧印加部２１の負荷を下げることができ、書込み装置及び表示記録媒体の寿命を延ばすことができる。
【００７３】
［第２の実施の形態］
図７は、本発明の第２の実施の形態に係る書込みシステムを示し、（ａ）は斜視図、（ｂ）は、（ａ）のＢ−Ｂ線断面図である。
【００７４】
この書込みシステム１Ｂは、第１の実施の形態の表示記録媒体２に対して受電端子２０６Ａ，２０６Ｂ及び発光部２１０を表面２ａに配置した表示記録媒体２と、表示記録媒体２に画像を書き込むスタンド型の書込み装置１００Ｂとから構成されている。
【００７５】
書込み装置１００Ｂは、ベース部１２１、スタンド部１２２及び表示部１２３からなる装置本体１２０と、装置本体１２０にケーブル１２４を介して接続されたコネクタ１３０Ａとを有する。
【００７６】
装置本体１２０の表示部１２３には、第１の実施の形態と同様のＬＣＤパネル１１０及びメッセージ表示部１１が設けられている。
【００７７】
コネクタ１３０Ａは、矩形状のコネクタケース１３１と、コネクタケース１３１に設けられ、表示記録媒体２が挿入される溝１３２と、コネクタケース１３１の上面に設けられた操作ボタン１３３と、表示記録媒体２の受電端子２０６Ａ，２０６Ｂに弾性的に接触する給電端子９Ａ，９Ｂと、コネクタ１３０Ａを表示記録媒体２に装着したときに発光部２１０に対向する位置に配置された受光部３０とを備える。コネクタケース１３１は、表示記録媒体２の長辺と短辺がそれぞれ当接する当接面１３２ａ，１３２ｂを有する。
【００７８】
図８は、書込み装置１００Ｂの制御系を示す。この書込み装置１００Ｂは、装置１００Ｂ全体を制御する制御部２０を有し、この制御部２０に、表示記録媒体２の受電端子２０６Ａ，２０６Ｂにケーブル１２４及び給電端子９Ａ，９Ｂを介してパルス電圧を印加する電圧印加部２１と、受光部３０から出力された電流値に基づいてコネクタ１３０Ａの装着方向（向き）を含む異常の有無を判定する第１の実施の形態と同様の判定部２３と、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ等のネットワークに接続された通信インタフェース（Ｉ／Ｆ）２８と、メッセージ表示部１１とを各々接続している。
【００７９】
制御部２０は、ＣＰＵ、ＲＡＭ、ＲＯＭ、ＨＤＤ等を用いて構成されており、ＨＤＤ、ＲＯＭ等には、前述した図６のフローチャートに示すような検出プログラムを含むＣＰＵの各種のプログラムが格納されている。プログラムは、ＣＤ−ＲＯＭ等の記録メディアから書込み装置１００Ｂ内に取り込んでもよく、ネットワークを介して書込み装置１００Ｂ内に取り込んでもよい。
【００８０】
（第２の実施の形態の動作）
次に、本実施の形態の書込みシステム１Ｂの動作を説明する。
【００８１】
ユーザが、表示記録媒体２にコネクタ１３０Ａを正しく装着すると、表示記録媒体２の受電端子２０６Ａ，２０６Ｂは、給電端子９Ａ，９Ｂに接触する。表示記録媒体２にコネクタ１３０Ａを正しく装着するためには、表示記録媒体２の表面２ａを上にし、表示記録媒体２の長辺と短辺がそれぞれコネクタケース１３１の当接面１３２ａ，１３２ｂに当接するようにコネクタ１３０Ａにセットする。
【００８２】
次に、ユーザは、コネクタ１３０Ａが装着された表示記録媒体２を裏面２ｂが下になるようにしてＬＥＤパネル１１０上に近接して配置し、コネクタ１３０Ａの操作ボタン１３３を押下すると、操作ボタン１３３は、押下信号をケーブル１２４を介して制御部２０に送る。制御部２０は、押下信号に基づいて電圧印加部２１により給電端子９Ａ，９Ｂ間に所定の数のパルス電圧を印加させる。発光部２１０は、受電端子２０６Ａ，２０６Ｂ間に印加された電圧により発光し、受光部３０は、発光部２１０が発光した光を検出する。その後の動作は、故障処理、返却処理等における表示記録媒体２の返却動作を除き、第１の実施の形態と同様であるので、説明を省略する。
【００８３】
［第３の実施の形態］
図９は、本発明の第３の実施の形態に係る書込みシステムを示し、（ａ）は斜視図、（ｂ）は、（ａ）のＢ−Ｂ線断面図である。
【００８４】
この書込みシステム１Ｃは、第２の実施の形態において、受光部３０を有していないコネクタ１３０Ｂを用い、書込み装置１００Ｃは、第２の実施の形態において、判定部２３を省いた構成としてものである。
【００８５】
本実施の形態のコネクタ１３０Ｂのコネクタケース１３１は、コネクタ１３０Ｂを表示記録媒体２に装着したとき、表示記録媒体２の発光部２１０の発光を遮らない形状を有する。これにより、発光部２１０の発光を利用者が目視で確認することができる。なお、コネクタケース１３１は、発光部２１０に対応した位置に発光部２１０からの光を透過させる窓を有するものでもよい。
［第４の実施の形態］
図１０は、本発明の第４の実施の形態に係る書込みシステムの斜視図である。
【００８６】
この書込みシステム１Ｄは、第１の実施の形態と同様の表示記録媒体２と、異常検出装置及び異常検出方法が適用された書込み装置１００Ｄとから構成されている。
【００８７】
書込み装置１００Ｄは、表示記録媒体２に画像を書き込む装置本体１４０と、装置本体１４０に対してヒンジ１４１によって開閉可能に取り付けられたタブレットＰＣ部１５０とから構成されている。
【００８８】
装置本体１４０は、書込み位置で表示記録媒体２の先端が当接するＬ字状のストッパ１４２と、表示記録媒体２の先端をストッパ１４２に当接したとき、表示記録媒体２の給電端子２０６Ａ，２０６Ｂに弾性的に接触する給電端子９Ａ，９Ｂと、表示記録媒体２の書込み領域２ｃに画像光を照射するＬＣＤパネル１１０と、表示記録媒体２の先端をストッパ１４２に当接したとき、発光部２１０に対向する位置に配置された受光部３０とを備える。また、装置本体１４０は、第１の実施の形態と同様に、ＬＣＤパネル１１０及びバックライト１１１からなる光照射部１０と、制御部２０と、電圧印加部２１と、判定部２３と、ＬＣＤパネル駆動部２５と、バックライト点灯部２６と、画像データ記憶部２７と、通信Ｉ／Ｆ２８とを備える。
【００８９】
タブレットＰＣ部１５０は、タブレット方式の入力表示部１５１を有する。入力表示部１５１は、画像を表示するＬＣＤ(Liquid Crystal Display)と、ＬＣＤと同一のサイズを有してＬＣＤの下面側に重合配置されたタブレットとからなる。タブレットは、電子ペン１５２を用いて電磁誘導方式により入力が可能となっている。なお、タブレットは、タッチパネル方式を用いてもよい。これにより、手指によっても入力が可能になる。
【００９０】
（第４の実施の形態の動作）
次に、本実施の形態の書込みシステム１Ｄの動作を説明する。
【００９１】
ユーザは、表示記録媒体２の挿入操作により、給電端子２０６Ａ，２０６Ｂに表示記録媒体２の受電端子２０６Ａ，２０６Ｂを接触させる。すなわち、表示記録媒体２の先端をストッパ１４２の内側に挿入する。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。このとき、表示記録媒体２の長辺と短辺がストッパ１４２に設けた当接面１４３ａ，１４３ｂに当接するようにする。
【００９２】
表示記録媒体２を正しい方向に挿入すると、表示記録媒体２の受電端子２０６Ａ，２０６Ｂは、給電端子９Ａ，９Ｂに接触する。
【００９３】
ユーザがタブレットＰＣ部１５０の入力表示部１５１のメニュー画面上で電子ペン１５２を用いてスタートボタンを選択すると、制御部２０は、電圧印加部２１により給電端子９Ａ，９Ｂ間に所定の数のパルス電圧を印加する。給電端子９Ａ，９Ｂ間に印加されたパルス電圧は、発光部２１０に印加され、発光部２１０が発光し、受光部３０は、発光部２１０が発光した光を検出する。その後の動作は、故障処理、返却処理等における表示記録媒体２の返却動作を除き、第１の実施の形態と同様であるので、説明を省略する。また、メッセージは、入力表示部１５１で行われる。
【００９４】
［第５の実施の形態］
図１１は、本発明の第５の実施の形態に係る書込みシステムを示す。この書込みシステム１Ｅは、第１の実施の形態の書込み装置１００Ａにおいて、固定式のストッパ８の代わりに、ソレノイド等によって回転駆動されるストッパ１８を用い、異常と判定された表示記録媒体２を書込み装置１００Ｅの後段に配置された異常処理装置１６０に搬送するようにしたものである。
【００９５】
発光部２１０の発光量が中間的な値である場合は、給電端子９Ａ，９Ｂ又は受電端子２０６Ａ，２０６Ｂの汚れている可能性が高いため、この場合には、書込み装置１００Ｅは、ストッパ１８を倒し、表示記録媒体２を異常処理装置１６０に搬送し、異常処理装置１６０にて受電端子２０６Ａ，２０６Ｂのクリーニングを行わせる。異常処理装置１６０は、クリーニング終了後に表示記録媒体２を同図矢印に示す方向に排出する。あるいはクリーニング後、同図矢印と反対方向に搬送し返却しても良い。
【００９６】
また、挿入方向エラーが発生し、何度繰り返しても挿入方向エラーが発生した場合は、表示記録媒体２の内部の断線の可能性があるので、この場合には、書込み装置１００Ｅは、
ストッパ１８を倒し、表示記録媒体２を異常処理装置１６０に搬送し、異常処理装置１６０に保管しておく。これにより、後日、異常処理装置１６０から表示記録媒体２を回収して補修等を行い、新たな表示記録媒体２として再利用することができる。
【００９７】
［第６の実施の形態］
図１２は、本発明の第６の実施の形態に係る書込みシステムを示す。この書込みシステム１Ｆは、第１の実施の形態の書込み装置１００Ａにおいて、表示記録媒体２を書込み位置に搬送する前に異常の有無を検出できるように書込み装置１００Ｆを構成したものである。
【００９８】
この書込み装置１００Ｆは、第１の実施の形態と同様の書込み位置の前段の異常検出位置で表示記録媒体２を停止させるための、ソレノイド等によって回転駆動されるストッパ１８と、異常検出位置に停止した表示記録媒体２の受電端子２０６Ａ，２０６Ｂに弾性的に接触するプレ給電端子１９Ａ，１９Ｂとを備え、搬送ローラ７Ｅ，７Ｆを追加し、書込み位置側に配置されていた受光部３０の代わりに、異常検出位置に停止した表示記録媒体２の発光部２１０に対向する位置に受光部３０を配置したものである。
【００９９】
この構成において、異常が検出された場合には、制御部２０は、搬送ローラ７Ｅ，７Ｆを逆転させて表示記録媒体２を返却し、異常が検出されなかった場合には、ストッパ１８を倒して搬送ローラ７Ａ〜７Ｆを回転駆動させ、表示記録媒体２を書込み位置に移動させるように制御する。
【０１００】
なお、本発明は、上記各実施の形態に限定されず、その要旨を変更しない範囲内で種々な変形が可能である。また、本発明の要旨を変更しない範囲内で各実施の形態の構成要素を任意に組み合わせることができる。
【０１０１】
表示記録媒体２は、サイズはＡ４、Ａ５等のノートサイズでもよく、名刺等のカードサイズでもよい。また、ＲＦＩＤタグ、接触式ＩＣタグ等を備えたものでもよい。この場合は、書込み装置やコネクタ側にタグのリーダライタを有する。
【０１０２】
上記実施の形態では、メッセージを書込み装置１００Ａのメッセージ表示部１１に表示したが、通信Ｉ／Ｆ２８によりネットワークを介して管理サーバ等に通知してもよい。また、異常検出の表示は、ブザー音やスピーカによる音声メッセージ、ＬＥＤ等による点灯でもよい。
【０１０３】
また、判定部２３による比較及び判定、または判定のみを制御部２０が行ってもよい
【０１０４】
また、コネクタ１３０Ａ、１３０Ｂにメッセージ表示部を設けてもよい。
【図面の簡単な説明】
【０１０５】
【図１】本発明の第１の実施の形態に係る書込みシステムを正面から見た断面図である。
【図２】本発明の第１の実施の形態に係る書込みシステムの平面図である。
【図３】（ａ），（ｂ）は、それぞれタイプの異なる表示記録媒体の層構成を模式的に表わした図２のＡ−Ａ線断面図である。
【図４】本発明の第１の実施の形態に係る書込み装置の制御系、及び表示記録媒体の回路構成を示すブロック図である。
【図５】表示記録媒体の挿入方向の種類を示し、（ａ）は、表示記録媒体が正常に挿入された場合、（ｂ）〜（ｄ）は、挿入方向が誤っている場合であり、（ｂ）は、裏面２ｂを上側にして挿入した場合、（ｃ）は、後部を先頭にして挿入した場合、（ｄ）は、裏面２ｂを上側にし、後部を先頭にして挿入した場合を示す図である。
【図６】本発明の第１の実施の形態に係る書込みシステムの動作を示すフローチャートである。
【図７】本発明の第２実施の形態に係る書込みシステムを示し、（ａ）は斜視図、（ｂ）は、（ａ）のＢ−Ｂ線断面図である。
【図８】本発明の第２実施の形態に係る書込み装置の制御系を示すブロック図である。
【図９】本発明の第３の実施の形態に係る書込みシステムを示し、（ａ）は斜視図、（ｂ）は、（ａ）のＢ−Ｂ線断面図である。
【図１０】本発明の第４の実施の形態に係る書込みシステムの斜視図である。
【図１１】本発明の第５の実施の形態に係る書込みシステムを正面から見た断面図である。
【図１２】本発明の第６実施の形態に係る書込みシステムを正面から見た断面図である。
【符号の説明】
【０１０６】
１Ａ〜１Ｆ  書込みシステム
２  表示記録媒体
２ａ  表面
２ｂ  裏面
２ｃ  書込み領域
３  下部筐体
４  上部筐体
５  空間
５ａ  挿入口
６  挿入センサ
７Ａ〜７Ｆ  搬送ローラ
８，１８  ストッパ
９Ａ，９Ｂ  給電端子
１０  光照射部
１１  メッセージ表示部
１９Ａ，１９Ｂ  プレ給電端子
２０  制御部
２１  電圧印加部
２３  判定部
２４  搬送駆動部
２５  ＬＣＤパネル駆動部
２６  バックライト点灯部
２７  画像データ記憶部
２８  通信Ｉ／Ｆ
１００Ａ〜１００Ｆ  書込み装置
１１０  ＬＣＤパネル
１１１  バックライト
１１２  画像光
１２０  装置本体
１２１  ベース部
１２２  スタンド部
１２３  表示部
１２４  ケーブル
１３０Ａ，１３０Ｂ  コネクタ
１３１  コネクタケース
１３２  溝
１３２ａ，１３２ｂ  当接面
１３３  操作ボタン
１４０  装置本体
１４１  ヒンジ
１４２  ストッパ
１４３ａ，１４３ｂ  当接面
１５０  タブレットＰＣ部
１５１  入力表示部
１５２  電子ペン
２００Ａ，２００Ｂ  基板
２０１Ａ，２０１Ｂ  電極
２０２  液晶層
２０２ａ  マイクロカプセル
２０３  光導電層
２０４  光吸収層
２０５  隔離層
２０６Ａ，２０６Ｂ  受電端子
２０７  延在部
【図１】
0004793115.tif 000002
【図２】
0004793115.tif 000003
【図３】
0004793115.tif 000004
【図４】
0004793115.tif 000005
【図５】
0004793115.tif 000006
【図６】
0004793115.tif 000007
【図７】
0004793115.tif 000008
【図８】
0004793115.tif 000009
【図９】
0004793115.tif 000010
【図１０】
0004793115.tif 000011
【図１１】
0004793115.tif 000012
【図１２】
0004793115.tif 000013